(57)【要約】【課題】担当者の入力操作を最小限に抑えつつ、担当者のスキルにかかわらず送電を止める必要のある箇所を一意に特定することの可能な装置を提供する。【解決手段】工事箇所表示装置１は、電柱データベース２１に記憶される電柱のうち、作業員が作業する場所となる電柱を選択する電柱選択部１１と、電柱データベース２１に記憶される電柱の各々に関連づけて、作業員が電柱で作業をする際に送電を止める必要のある電線が記憶される送電停止情報データベース２３を参照し、電柱選択部１１により選択された電柱に関連づけて記憶された電線を抽出する電線抽出部１２と、電柱データベースに記憶される電柱どうしを結ぶ電線の情報が記憶される電線データベース２２に記憶される電線のうち、電線抽出部１２により抽出された電線を赤色で、他の電線を緑色で表示するよう表示装置４０に指令する電線表示指令部１３とを備える。【選択図】図１
2012231566.tif 000002
【特許請求の範囲】
【請求項１】
電柱の位置の情報が記憶される電柱データベースと、
前記電柱データベースに記憶される電柱どうしを結ぶ電線の情報が記憶される電線データベースと、
前記電柱データベースに記憶される電柱の各々に関連づけて、作業員が電柱で作業をする際に送電を止める必要のある前記電線が記憶される送電停止情報データベースと、
前記電柱データベースに記憶される電柱のうち、作業員が作業する場所となる電柱を選択する電柱選択手段と、
前記送電停止情報データベースを参照し、前記電柱選択手段により選択された電柱に関連づけて記憶された電線を抽出する電線抽出手段と、
前記電線データベースに記憶される電線のうち、前記電線抽出手段により抽出された電線を特定の色で、他の電線を前記特定の色とは異なる色で表示する電線表示手段とを備える工事箇所表示装置。
【発明の詳細な説明】
【技術分野】
【０００１】
本発明は、工事箇所表示装置に関する。
【背景技術】
【０００２】
電柱の建て替えや電線の張り替え等の工事を行う際、工事現場の周辺を停電しなければならない場合がある。この場合、電力会社の担当社員は、停電する範囲や停電するまでの手順等を検討した後に停電手続書を作成しなければならない。
【０００３】
この停電手続書は、電力会社の担当社員が白紙の状態から作成するため、多くの時間を要する。また、担当者が未熟である場合、停電する範囲を誤り得る。停電手続書に誤りがあると、作業員が被災を受けるおそれや、配電設備が損傷するおそれがあり、好ましくない。また、もともと停電する予定のない箇所が停電するおそれもあり、好ましくない。そのため、管理者は、記入ミスや漏れ等、停電手続書を詳細に確認しなければならない。
【０００４】
停電工区を自動判定する装置として、工事件名が記憶された作業件名データと、工事件名、工事日時及び工事箇所が関連づけられた工事件名データと、工事箇所と停電区間とが関連づけられた線路区間データとを備え、作業件名の登録時、工事件名キーワードを１つ以上入力した後、工事件名キーワードを１つずつ取り出し前記各データを参照して停電区間を判定し、工事日時を付属させる手段を備えるものが提案されている（例えば、特許文献１参照。）。この装置によると、工事件名、工事日時及び工事箇所を１度入力するだけで停電区間の入力が不要となり、工事箇所、工事日時と停電区間が不一致となる入力ミスを防止することができる。
【先行技術文献】
【特許文献】
【０００５】
【特許文献１】特開平０５−２７６６６２号公報
【発明の概要】
【発明が解決しようとする課題】
【０００６】
しかしながら、特許文献１に記載の発明では、作業件名データと工事件名データとが作成された後でなければ停電区間の検索をすることができない。そのため、停電手続書の作成に際し、さらに省力化しつつミスを防止することの可能な装置の提供が求められている。
【０００７】
本発明は、担当者の入力操作を最小限に抑えつつ、担当者のスキルにかかわらず送電を止める必要のある箇所を一意に特定することの可能な装置を提供することを目的とする。
【課題を解決するための手段】
【０００８】
本発明では、以下のような解決手段を提供する。
【０００９】
（１）  電柱の位置の情報が記憶される電柱データベースと、前記電柱データベースに記憶される電柱どうしを結ぶ電線の情報が記憶される電線データベースと、前記電柱データベースに記憶される電柱の各々に関連づけて、作業員が電柱で作業をする際に送電を止める必要のある前記電線が記憶される送電停止情報データベースと、前記電柱データベースに記憶される電柱のうち、作業員が作業する場所となる電柱を選択する電柱選択手段と、前記送電停止情報データベースを参照し、前記電柱選択手段により選択された電柱に関連づけて記憶された電線を抽出する電線抽出手段と、前記電線データベースに記憶される電線のうち、前記電線抽出手段により抽出された電線を特定の色で、他の電線を前記特定の色とは異なる色で表示する電線表示手段とを備える工事箇所表示装置。
【００１０】
（１）に記載の発明によれば、電柱選択手段は、電柱データベースに記憶される電柱のうち、作業員が作業する場所となる電柱を選択し、電線抽出手段は、送電停止情報データベースを参照し、電柱選択手段により選択された電柱に関連づけて記憶された電線を抽出し、電線表示手段は、電線データベースに記憶される電線のうち、電線抽出手段により抽出された電線を特定の色で、他の電線を前記特定の色とは異なる色で表示する。このようにすることで、担当者の入力操作は電柱の選択操作だけに抑えつつ、担当者のスキルにかかわらず送電を止める必要のある箇所を一意に特定でき、結果として停電手続書の誤りを防ぐことの可能な装置を提供することができる。また、担当者にとっては、停電手続書の作成労力の低減、作成時間の短縮、正確性の向上を図ることができ、管理者にとっては、担当者が作成した停電手続書のチェックに係る負担の軽減を図ることができる。また、もともと停電する予定のない箇所が停電することによって生じる社会的影響の低減を図ることができる。
【発明の効果】
【００１１】
本発明によれば、担当者の入力操作を最小限に抑えつつ、担当者のスキルにかかわらず送電を止める必要のある箇所を一意に特定することの可能な装置を提供することができる。
【図面の簡単な説明】
【００１２】
【図１】本発明の実施形態に係る工事箇所表示装置１を説明するための全体構成を示す図である。
【図２】本発明の実施形態に係る電柱データベース２１を示す図である。
【図３】本発明の実施形態に係る電線データベース２２を示す図である。
【図４】本発明の実施形態に係る送電停止情報データベース２３を示す図である。
【図５】本発明の実施形態に係る工事箇所表示装置１のフローチャートを示す図である。
【図６】電柱取替工事の現場の周囲における配線の状況を示す図である。
【図７】図６の状況において本発明の実施形態に係る工事箇所表示装置１を使用したときの表示装置４０での表示例を示す図である。
【図８】図７に続く図である。
【図９】図８に続く図であり、停電手続書の例を示す図である。
【発明を実施するための形態】
【００１３】
［全体構成］
本発明の実施形態について図を参照しながら説明する。
図１は、本実施形態に係る工事箇所表示装置１を説明するための全体構成を示す図である。工事箇所表示装置１は、この工事箇所表示装置１に係る各機能を統括的に制御する制御部１０と、この制御部１０の動作に必要な情報等が記憶される記憶部２０と、電力会社の担当者が入力操作を行うための入力装置３０と、制御部１０によって表示の指令がなされた内容を表示する表示装置４０と、制御部１０によって印刷の指令がなされた内容を印刷する印刷装置５０とを備える。
【００１４】
記憶部２０は、電柱の位置の情報が記憶される電柱データベース２１と、この電柱データベースに記憶される電柱どうしを結ぶ電線の情報が記憶される電線データベース２２と、電柱データベース２１に記憶される電柱の各々に関連づけて、作業員が電柱で作業をする際に送電を止める必要のある電線が記憶される送電停止情報データベース２３とを備える。
【００１５】
電柱データベース２１は、図２に例示される。電柱データベース２１は、電柱を識別する「電柱識別番号」フィールドと、この電柱が設置されている場所を示す「設置場所」フィールドと、この電柱に開閉器が設けられているか否かを示す「開閉器」フィールドとを有する。開閉器は通常「閉」状態に設定されており、開閉器の上流に設けられた電線と下流に設けられた電線との両方で電流が流れている。しかし、開閉器を「閉」状態から「開」状態に変えると、開閉器の下流に設けられた電線には電流が流れなくなる。
【００１６】
例えば、○○市××１−２−３の地点に電柱識別番号「００１」に対応する電柱が設置され、この電柱に開閉器が設けられている場合、「電柱識別番号」フィールドには「００１」が記憶され、「設置場所」フィールドには「○○市××１−２−３」が記憶され、「開閉器」フィールドには「あり」が記憶される。
【００１７】
電線データベース２２は、図３に例示される。電線データベース２２は、電線を識別する「電線識別コード」フィールドと、この電線が設けられている場所を示す「設置場所」フィールドとを有する。例えば、電柱識別番号「００１」に対応する電柱と電柱識別番号「００２」に対応する電柱との間に電線識別コード「ａ」に対応する電線が設けられている場合、「電線識別コード」フィールドには「ａ」が記憶され、「設置場所」フィールドには「００１−００２」が記憶される。
【００１８】
送電停止情報データベース２３は、図４に例示される。送電停止情報データベース２３は、上記「電柱識別番号」フィールドと、この電柱識別番号フィールドに対応する電柱の各々に関連づけて設けられ、作業員が電柱で作業をする際に送電を止める必要のある電線の箇所を示す「送電停止箇所」フィールドとを有する。
【００１９】
また、記憶部２０は、作業員の作業の種別のそれぞれについて、作業の時間と注意事項とが記憶された作業種別データベース２４と、電力会社が供給する電流の配電系統が記憶された配電系統データベース２５とを備えることが好ましい。「作業の種別」は、作業員が電柱で行う作業であればあらゆる作業が挙げられるが、例えば、電柱の交換、電線の交換、開閉器の新設又は交換、及び変圧器の新設又は交換等が挙げられる。
【００２０】
図１に戻り、制御部１０は、電柱選択部１１と、電線抽出部１２と、電線表示指令部１３とを備える。また、作業員が電柱で作業をする際に送電を止める必要のある電線だけでなく、作業の内容を併せて表示するため、制御部１０は、さらに作業内容表示指令部１５を備えることが好ましい。また、表示装置４０での表示内容を作業員に対する作業指示書として紙媒体で印刷するため、制御部１０は、さらに作業指示書印刷指令部１６を備えることが好ましい。
【００２１】
電柱選択部１１は電柱選択手段として機能する。電柱選択部１１は、作業員が作業する場所となる電柱を電力会社の担当者が入力装置３０を用いて選択したことに応じて、その電柱を選択する処理を実行する。
【００２２】
電線抽出部１２は電線抽出手段として機能する。電線抽出部１２は、送電停止情報データベース２３を参照し、電柱選択部１１により選択された電柱に関連づけて記憶された電線を抽出する。
【００２３】
ところで、電線抽出部１２が数多くの電線を抽出してしまい、停電の範囲が広範にわたることもある。そこで、制御部１０は、電線抽出部１２が抽出した電線によって特定される範囲上に工事用の開閉器を新たに設けることができるか否かを判別し、工事用の開閉器を新たに設けることができる場合、電線抽出部１２は、自己が抽出した電線によって特定される範囲のうち工事用開閉器を設ける場所よりも上流の範囲にある部分を除外して抽出することが好ましい。
【００２４】
電線表示指令部１３は、電線データベース２２に記憶される電線のうち、電線抽出部１２により抽出された電線を特定の色で、他の電線を当該特定の色とは異なる色で表示するよう表示装置４０に指令する。なお、本実施形態では、「特定の色」が赤色であり、「特定の色とは異なる色」が緑色であるものとして説明するが、これに限られるものではない。表示装置４０は、電線表示指令部１３の指令にしたがって電線抽出部１２による抽出の結果等を映像表示する。電線表示指令部１３及び表示装置４０は電線表示手段として機能する。
【００２５】
作業内容抽出部１４は作業内容抽出手段として機能する。電力会社の担当者が入力装置３０を用いて作業の種別を入力したことに応じて、作業内容抽出部１４は、作業種別データベース２４を参照し、当該担当者が入力した作業に要する時間及び当該作業の注意事項を抽出するとともに、配電系統データベース２５を参照し、担当者が入力した作業に必要な情報を抽出する。
【００２６】
作業内容表示指令部１５は、作業内容抽出部１４により抽出された情報を表示するよう表示装置４０に指令する。表示装置４０は、作業内容表示指令部１５の指令にしたがって作業内容抽出部１４による抽出の結果等を映像表示する。作業内容表示指令部１５及び表示装置４０は作業内容表示手段として機能する。
【００２７】
作業指示書印刷指令部１６は、電線抽出部１２及び作業内容抽出部１４により抽出された情報を作業指示書として紙媒体に印刷するよう印刷装置５０に指令する。印刷装置５０は、作業指示書印刷指令部１６の指令にしたがって電線抽出部１２及び作業内容抽出部１４により抽出された情報等を紙媒体に印刷する。作業指示書印刷指令部１６及び印刷装置５０は作業指示書印刷手段として機能する。
【００２８】
［本実施形態のハードウェア及びソフトウェアの構成］
本実施形態のハードウェア及びソフトウェアの構成について説明する。工事箇所表示装置１のハードウェアには、制御装置（制御部）としてのＣＰＵの他、記憶装置（記憶部）、通信装置（通信部）、表示装置（表示部）及び入力装置（入力部）が含まれる。記憶装置（記憶部）としては、例えば、メモリ（ＲＡＭ、ＲＯＭ等）、ハードディスクドライブ（ＨＤＤ）又は光ディスク（ＣＤ、ＤＶＤ等）ドライブ等が挙げられる。通信装置（通信部）としては、例えば、各種有線又は無線インターフェース装置等が挙げられる。表示装置（表示部）としては、例えば、液晶ディスプレイ又はプラズマディスプレイ等の各種ディスプレイが挙げられる。入力装置（入力部）としては、例えば、キーボード、ポインティング・デバイス（マウス等）又はリモコン装置等が挙げられる。
【００２９】
工事箇所表示装置１のソフトウェアには、上記ハードウェアを制御するプログラムやデータが含まれる。プログラムやデータは、記憶装置（記憶部）により記憶され、制御装置（制御部）により適宜実行、参照される。また、コンピュータ・プログラムやデータは、電磁的方法により配布することも可能であり、ＣＤ−ＲＯＭ等のコンピュータ可読媒体に記録して配布することも可能である。
【００３０】
［フローチャート］
図５は、本実施形態に係る工事箇所表示装置１のフローチャートである。
【００３１】
はじめに、電柱選択部１１は、電柱選択処理を実行する（Ｓ１）。この処理では、電柱選択部１１は、作業員が作業する場所となる電柱を電力会社の担当者が入力装置３０を用いて選択したことに応じて、その電柱の選択を行う。
【００３２】
続いて、電線抽出部１２は、電線抽出処理を実行する（Ｓ２）。この処理では、電線抽出部１２は、送電停止情報データベース２３を参照し、電柱選択部１１により選択された電柱に関連づけて記憶された電線を抽出する。
【００３３】
続いて、作業内容抽出部１４は、作業内容抽出処理を実行する（Ｓ３）。この処理では、作業内容抽出部１４は、電力会社の担当者が入力装置３０を用いて作業の種別を入力したことに応じて、作業種別データベース２４を参照して当該担当者が入力した作業に要する時間及び当該作業の注意事項を抽出するとともに、配電系統データベース２５を参照して担当者が入力した作業に必要な情報を抽出する。
【００３４】
続いて、電線表示指令部１３及び作業内容表示指令部１５は、工事箇所表示処理を実行する（Ｓ４）。この処理では、電線表示指令部１３は、電線データベース２２に記憶される電線のうち、電線抽出部１２により抽出された電線を特定の色で、他の電線を当該特定の色とは異なる色で表示するよう表示装置４０に指令する。また、作業内容表示指令部１５は、作業内容抽出部１４により抽出された情報を表示するよう表示装置４０に指令する。
【００３５】
続いて、作業指示書印刷指令部１６は、作業指示書印刷処理を実行する（Ｓ５）。この処理では、作業指示書印刷指令部１６は、電線抽出部１２及び作業内容抽出部１４により抽出された情報を作業指示書として紙媒体に印刷するよう印刷装置５０に指令する。この処理を終えると、制御部１０は、一連の処理を終了する。
【００３６】
［工事箇所表示装置１の実施例］
以下、図６〜図９を参照しながら工事箇所表示装置１の実施例について説明する。
【００３７】
図６は、電柱取替工事の現場の周囲における配線の状況を示す。番号００１〜０１２は電柱識別番号を示し、それぞれ図２の「電柱識別番号フィールド」に記憶された番号に対応する。電柱によって四角の枠の中にバツの記号が付されたものと白塗りの丸の記号が付されたものとがあるが、前者は開閉器を有する電柱を示し、後者は開閉器を有しない電柱を示す。
【００３８】
図７は、図６の状況を表示装置４０に表示したときの例を示す。電柱識別番号「００２」と「００７」に対応する電柱の取替工事をする場合、電力会社の担当者は入力装置３０を介してこれらの電柱を選択する。入力装置３０はキーボードであってもタッチパネルであってもよい。入力装置３０がキーボードである場合、担当者は電柱識別番号である「００２」及び「００７」を入力する。入力装置３０がタッチパネルである場合、担当者は電柱識別番号「００２」の白丸及び電柱識別番号「００７」の白丸に指を触れる。入力装置３０の入力操作に応じて、電柱選択部１１は、電柱識別番号「００２」と「００７」に対応する電柱を選択し、これに対応する白丸を赤塗りの丸に変えるよう表示装置４０に指令する。
【００３９】
その後、電線抽出部１２は、送電停止情報データベース２３を参照し、電柱識別番号「００２」に対応する電柱に関連づけて記憶された電線ａ，ｂ，ｃ，ｇ及び電柱識別番号「００７」に対応する電柱に関連づけて記憶された電線ｄ，ｅ，ｆ，ｈ，ｉを抽出する。
【００４０】
続いて、作業内容抽出部１４は、電力会社の担当者が入力装置３０を用いて作業の種別として「電柱の交換」を入力したことに応じて、作業種別データベース２４を参照して「電柱の交換」に要する時間及び当該「電柱の交換」の注意事項を抽出するとともに、配電系統データベース２５を参照して「電柱の交換」に必要な情報を抽出する。本実施例では「電柱の交換」に要する時間は２時間であり、「電柱の交換」の注意事項は「作業前に接続相の確認を確実に行うこと。」であるものとして説明する。
【００４１】
続いて、電線表示指令部１３は、電線データベース２２に記憶される電線のうち、電線抽出部１２により抽出された電線ａ〜ｉを赤色で、他の電線を緑色で表示するよう表示装置４０に指令する。電線データベース２２によると、電線ａは電柱識別番号「００１」に対応する電柱と電柱識別番号「００２」に対応する電柱とを結ぶ線なので、電線表示指令部１３は、電柱識別番号「００１」に対応する電柱と電柱識別番号「００２」に対応する電柱とを結ぶ線を赤色で表示するよう表示装置４０に指令する。電線ｂ〜ｉについても同様の処理を実行する。
【００４２】
また、作業内容表示指令部１５は、作業内容抽出部１４により抽出された情報を表示するよう表示装置４０に指令する。
【００４３】
図８は、このときの表示装置４０での表示例を示す。電柱の交換の際に停電が必要な箇所が赤色で表示され、他の色は緑色で表示されている。また、作業の注意点等も表示されている。このようにすることで、担当者の入力操作は電柱の選択操作だけに抑えつつ、担当者のスキルにかかわらず送電を止める必要のある箇所を一意に特定でき、結果として停電手続書の誤りを防ぐことの可能な工事箇所表示装置１を提供することができる。また、担当者にとっては、作業指示書の作成労力の低減、作成時間の短縮、正確性の向上を図ることができ、管理者にとっては、担当者が作成した作業指示書のチェックに係る負担の軽減を図ることができる。また、もともと停電する予定のない箇所が停電することによって生じる社会的影響の低減を図ることができる。
【００４４】
さらに、作業指示書印刷指令部１６は、電線抽出部１２及び作業内容抽出部１４により抽出された情報を作業指示書として紙媒体に印刷するよう印刷装置５０に指令する。
【００４５】
図９は、このときの作業指示書の例を示す。本実施形態に記載の発明によると、電柱の選択をはじめとした最小限の操作だけで一定の品質を担保した作業指示書を発行できるため、担当者にとっては、作業書の作成労力のさらなる低減、作成時間のさらなる短縮、正確性のさらなる向上を図ることができ、管理者にとっては、担当者が作成した作業指示書のチェックに係る負担のさらなる軽減を図ることができる。また、もともと停電する予定のない箇所が停電することによって生じる社会的影響のさらなる低減を図ることができる。
【００４６】
なお、本実施形態に記載された効果は、いずれも、本発明から生じる最も好適な効果を列挙したに過ぎず、本発明による効果は、本実施形態に記載されたものに限定されるものではない。
【符号の説明】
【００４７】
１  工事箇所表示装置
１０  制御部
１１  電柱選択部
１２  電線抽出部
１３  電線表示指令部
２０  記憶部
２１  電柱データベース
２２  送電停止情報データベース
２３  電線データベース
４０  表示装置
【図１】
2012231566.tif 000003
【図２】
2012231566.tif 000004
【図３】
2012231566.tif 000005
【図４】
2012231566.tif 000006
【図５】
2012231566.tif 000007
【図６】
2012231566.tif 000008
【図７】
2012231566.tif 000009
【図８】
2012231566.tif 000010
【図９】
2012231566.tif 000011